(57)【要約】【課題】嵌合作業性を低下させることなく、ムービングプレートを確実に初期位置へ戻す。【解決手段】ムービングプレート３０は、一対の弾性係止片３４を有し、弾性係止片３４の突出方向を傾かせるような形態で弾性的に湾曲変形可能であり、雌側ハウジング５０は、係止部５５を弾性係止片３４と係止させることで、ムービングプレート３０を初期位置保持突起１８と干渉させて初期位置へ引き戻す。初期位置保持突起１８は、一対の弾性係止片３４の離間方向と同方向に間隔を空けて対をなし、且つ一対の弾性係止片３４の離間方向において一対の弾性係止片３４とは異なる位置に配されている。【選択図】図１３
2017134979.tif 000002
【特許請求の範囲】
【請求項１】
複数の雄端子金具が取り付けられた雄側ハウジングと、
前記雄側ハウジングに形成され、前記複数の雄端子金具のタブを包囲するフード部と、
複数の前記タブを位置決めした状態で前記フード部内に収容され、初期位置と嵌合位置との間で移動可能なムービングプレートと、
前記フード部の内壁に形成され、初期位置の前記ムービングプレートが嵌合位置へ落ち込むのを規制する初期位置保持突起と、
前記フード部内を前記ムービングプレートと平行に移動することで、前記雄側ハウジングに対して嵌合・離脱される雌側ハウジングと、
前記ムービングプレートの移動方向と交差する方向に離間した２位置から、前記ムービングプレートの移動方向と略平行に突出するように前記ムービングプレートに形成され、弾性変形が可能な一対の弾性係止片と、
前記雌側ハウジングに形成され、前記弾性係止片と係止することで、前記雌側ハウジングが嵌合位置の前記ムービングプレートを前記初期位置保持突起と干渉させて初期位置へ引き戻すことを可能にする係止部とを備え、
前記ムービングプレートは、前記弾性係止片の突出方向を傾かせるような形態で弾性的に湾曲変形可能であり、
前記初期位置保持突起は、前記一対の弾性係止片の離間方向と同方向に間隔を空けて対をなすように、且つ前記一対の弾性係止片の離間方向において前記一対の弾性係止片とは異なる位置に配されていることを特徴とするコネクタ。
【請求項２】
前記一対の弾性係止片の離間方向において、前記一対の弾性係止片は前記一対の初期位置保持突起よりも端部側に配されていることを特徴とする請求項１記載のコネクタ。
【請求項３】
前記一対の弾性係止片の離間方向において、前記一対の弾性係止片が対称に配置され、且つ前記一対の初期位置保持突起が対称に配されていることを特徴とする請求項１又は請求項２記載のコネクタ。
【発明の詳細な説明】
【技術分野】
【０００１】
本発明は、コネクタに関するものである。
【背景技術】
【０００２】
特許文献１には、フード部を有する雄側ハウジングと、雄側ハウジングに取り付けた複数の雄端子金具と、フード部内に収容されて雄端子金具のタブを位置決めするムービングプレートとを備えたコネクタが開示されている。フード部内に進入した雌側ハウジングが嵌合方向へ移動すると、それに伴って、ムービングプレートが初期位置から嵌合位置へ移動する。
【０００３】
フード部の内壁には、初期位置のムービングプレートが嵌合位置へ落ち込むのを規制するための初期位置保持突起が形成されている。また、ムービングプレートには弾性変形可能な壁部が形成されている。両ハウジングが嵌合した状態から雌側ハウジングをフード部外へ離脱させる際には、雌側ハウジングは、壁部と係止することでムービングプレートを嵌合位置から初期位置へ引き戻すようになっている。
【先行技術文献】
【特許文献】
【０００４】
【特許文献１】特開２００７−３１７４４２号公報
【発明の概要】
【発明が解決しようとする課題】
【０００５】
雌側ハウジングがムービングプレートを初期位置へ引き戻す途中では、ムービングプレートが初期位置保持突起を通過することによって初期位置に到達する。しかし、ムービングプレートが初期位置保持突起に引っ掛かってしまうと、壁部が弾性変形して雌側ハウジングから外れてしまい、ムービングプレートを初期位置へ戻せなくなることが懸念される。この対策として、壁部と雌側ハウジングとの係止代を大きくすることが考えられるが、そうすると、ムービングプレートを初期位置から嵌合位置側へ移動させる際の抵抗が増大し、嵌合の作業性が低下することになる。
【０００６】
本発明は上記のような事情に基づいて完成されたものであって、嵌合作業性を低下させることなく、ムービングプレートを確実に初期位置へ戻せるようにすることを目的とする。
【課題を解決するための手段】
【０００７】
本発明は、
複数の雄端子金具が取り付けられた雄側ハウジングと、
前記雄側ハウジングに形成され、前記複数の雄端子金具のタブを包囲するフード部と、
複数の前記タブを位置決めした状態で前記フード部内に収容され、初期位置と嵌合位置との間で移動可能なムービングプレートと、
前記フード部の内壁に形成され、初期位置の前記ムービングプレートが嵌合位置へ落ち込むのを規制する初期位置保持突起と、
前記フード部内を前記ムービングプレートと平行に移動することで、前記雄側ハウジングに対して嵌合・離脱される雌側ハウジングと、
前記ムービングプレートの移動方向と交差する方向に離間した２位置から、前記ムービングプレートの移動方向と略平行に突出するように前記ムービングプレートに形成され、弾性変形が可能な一対の弾性係止片と、
前記雌側ハウジングに形成され、前記弾性係止片と係止することで、前記雌側ハウジングが嵌合位置の前記ムービングプレートを前記初期位置保持突起と干渉させて初期位置へ引き戻すことを可能にする係止部とを備え、
前記ムービングプレートは、前記弾性係止片の突出方向を傾かせるような形態で弾性的に湾曲変形可能であり、
前記初期位置保持突起は、前記一対の弾性係止片の離間方向と同方向に間隔を空けて対をなすように、且つ前記一対の弾性係止片の離間方向において前記一対の弾性係止片とは異なる位置に配されているところに特徴を有する。
【発明の効果】
【０００８】
雌側ハウジングは、その係止部を弾性係止片に係止させた状態でムービングプレートを嵌合位置から初期位置へ引き戻す。この過程で、ムービングプレートが初期位置保持突起と干渉したとき、ムービングプレートは、初期位置保持突起との干渉位置とは異なる位置において、弾性係止片を介して雌側ハウジングからの引張力を受ける。すると、テコの原理によってムービングプレートが湾曲する。この湾曲により、雌側ハウジングの係止部に対する弾性係止片の係止代が増大するので、ムービングプレートは、係止部から外れずに初期位置保持突起を通過し、初期位置に戻される。
【図面の簡単な説明】
【０００９】
【図１】実施例１のコネクタにおいて雄側ハウジングと雌側ハウジングを嵌合した状態をあらわす側断面図
【図２】雄側ハウジングにおいてムービングプレートが初期位置に保持されている状態をあらわす側断面図
【図３】雄側ハウジングの正面図
【図４】雌側ハウジングにおいてムービングプレートを外した状態をあらわす正面図
【図５】ムービングプレートの正面図
【図６】ムービングプレートの底面図
【図７】図３のＸ−Ｘ線断面図
【図８】図７の部分拡大断面図
【図９】雌側ハウジングをムービングプレートに係止させる過程をあらわす部分拡大断面図
【図１０】雌側ハウジングが、初期位置に保持されているムービングプレートに係止した状態をあらわす部分拡大断面図
【図１１】雌側ハウジングと雄側ハウジングが嵌合した状態をあらわす部分拡大断面図
【図１２】雌側ハウジングがムービングプレートを初期位置へ引き戻す過程で、ムービングプレートが初期位置保持突起に当接した状態をあらわす部分拡大断面図
【図１３】雌側ハウジングがムービングプレートを初期位置へ引き戻す過程で、ムービングプレートが初期位置保持突起を乗り越え始めた状態をあらわす部分拡大断面図
【図１４】雌側ハウジングが、初期位置に保持されているムービングプレートから離脱し始める状態をあらわす部分拡大断面図
【発明を実施するための形態】
【００１０】
本発明は、前記一対の弾性係止片の離間方向において、前記一対の弾性係止片は前記一対の初期位置保持突起よりも端部側に配されていてもよい。ムービングプレートが湾曲したときには、端部に近いほど弾性係止片の傾きが大きくなるので、この点に着目し、弾性係止片を初期位置保持突起よりも端部側に配置した。これにより、ムービングプレートが湾曲したときの弾性係止片の傾きが大きくなるので、弾性係止片と雌側ハウジングの係止部との係止代も大きくなる。
【００１１】
本発明は、前記一対の弾性係止片の離間方向において、前記一対の弾性係止片が対称に配置され、且つ前記一対の初期位置保持突起が対称に配されていてもよい。この構成によれば、ムービングプレートは、湾曲したときに波形に変形しないので、曲率が大きくなる。これにより、ムービングプレートが湾曲したときの弾性係止片の傾きが大きくなるので、弾性係止片と雌側ハウジングの係止部との係止代も大きくなる。
【００１２】
＜実施例１＞
以下、本発明を具体化した実施例１を図１〜図１４を参照して説明する。尚、以下の説明において、前後の方向については、図１，２における右方を前方と定義する。上下の方向については、図１〜５にあらわれる向きを、そのまま上方、下方と定義する。左右の方向については、図３〜６にあらわれる向きを、そのまま左方、右方と定義する。本実施例１のコネクタＡは、図１，２に示すように、回路基板Ｐに取り付けられた雄側コネクタＭと、図１に示すように、雄側コネクタＭに対して嵌合・離脱が可能な雌側コネクタＦとを備えて構成されている。
【００１３】
＜雄側コネクタＭ＞
雄側コネクタＭは、合成樹脂製の雄側ハウジング１０と、複数の雄端子金具１３と、合成樹脂製のムービングプレート３０とを備えて構成されている。雄側ハウジング１０は、壁状の端子保持部１１と、端子保持部１１から前方へ略角筒状に突出するフード部１２とを備えている。図３，４に示すように、端子保持部１１とフード部１２の正面視形状は、左右方向に長い略長方形をなしている。
【００１４】
端子保持部１１には、複数本の細長い雄端子金具１３が保持されている。雄端子金具１３は、側面視形状が略Ｌ字形に屈曲した形状であり、前後方向に延びて端子保持部１１を貫通するタブ１４と、タブ１４の後端から下方へ延出して回路基板Ｐに接続された基板接続部１５とから構成されている。タブ１４のうち端子保持部１１よりも前方に突出した部分は、フード部１２により一括して包囲されている。フード部１２内の空間は、雌側コネクタＦを嵌合させると共にムービングプレート３０を移動させるための作動空間１６となっている。
【００１５】
図４に示すように、フード部１２を構成する上壁部１７の内面（作動空間１６に臨む下面）には、左右対称な一対の初期位置保持突起１８が形成されている。初期位置保持突起１８は、左右方向における上壁部１７の両端よりも少し中央よりの位置から突出した形態である。フード部１２を構成する下壁部１９の内面（作動空間１６に臨む上面）にも、上壁部１７と同様、左右対称な一対の初期位置保持突起１８が形成されている。初期位置保持突起１８は、左右方向における上壁部１７の両端よりも少し中央よりの位置から突出した形態である。そして、上壁部１７の左側の初期位置保持突起１８と下壁部１９の左側の初期位置保持突起１８は、左右方向において同じ位置に配されている。また、上壁部１７の右側の初期位置保持突起１８と下壁部１９の右側の初期位置保持突起１８も、左右方向において同じ位置に配されている。
【００１６】
フード部１２を構成する左右両側壁部２０の内面（作動空間１６に臨む面）には、左右対称な一対の抜止め突起２１が形成されている。一対の抜止め突起２１は、上下方向における中央位置に配されている。一対の抜止め突起２１は、作動空間１６のうち左右方向最端部に配置されている。したがって、左右に間隔を空けて対をなす上記初期位置保持突起１８は、左右方向において一対の抜止め突起２１よりも中央側に位置している。また、前後方向において、全ての初期位置保持突起１８は、抜止め突起２１よりも後方（フード部１２の奥側）に位置している。
【００１７】
図１〜４に示すように、上壁部１７には、その内面から下方へ突出する左右対称な一対のリブ２２が形成されている。リブ２２は、作動空間１６内で前後に移動するムービングプレート３０と雌側コネクタＦを案内する機能と、ムービングプレート３０や雌側コネクタＦが作動空間１６内へ不正な向きで収容されるのを規制する機能とを備えている。
【００１８】
図５に示すように、ムービングプレート３０は、板面を前後方向に対して直角に向けた略長方形をなす板状の部材である。ムービングプレート３０は、複数の雄端子金具１３のタブ１４を上下方向及び左右方向において位置決めした状態で、フード部１２（作動空間１６）内を前後方向に平行移動することが可能となっている。ムービングプレート３０には、各タブ１４を貫通させるための複数の位置決め孔３１が形成されている。複数のタブ１４は、位置決め孔３１に嵌合されることで、上下方向及び左右方向において位置決めされる。
【００１９】
ムービングプレート３０の外周縁のうち上縁部には、左右対称な一対の保持用突部３２が形成されている。ムービングプレート３０の外周縁のうち下縁部にも、上縁部と同様、左右対称な一対の保持用突部３２が形成されている。保持用突部３２は、左右方向において初期位置保持突起１８とほぼ同じ位置に配置されている。上縁部の左側の保持用突部３２と下縁部の左側の保持用突部３２は、左右方向において同じ位置に配されている。上縁部の右側の保持用突部３２と下縁部の右側の保持用突部３２も、左右方向において同じ位置に配されている。
【００２０】
ムービングプレート３０の外周縁のうち左右両側縁部には、左右対称な一対の抜止め用突部３３が形成されている。一対の抜止め用突部３３は、上下方向における中央位置に配されている。一対の抜止め用突部３３は、上記した一対の抜止め突起２１と対応するように、ムービングプレート３０のうち左右方向最端部に配置されている。したがって、左右に間隔を空けて対をなす上記保持用突部３２は、左右方向において一対の抜止め用突部３３よりも中央側に位置している。
【００２１】
ムービングプレート３０には、左右対称であって前方へ片持ち状に延出した形態をなす一対の弾性係止片３４が形成されている。弾性係止片３４は、板厚方向を左右方向に向けた板状をなす。したがって、弾性係止片３４は、左右方向（板厚方向）へ弾性変形し得るようになっている。弾性係止片３４の弾性変形可能な方向は、フード部１２内におけるムービングプレート３０の移動方向、及びフード部１２内における雌側コネクタＦの移動方向に対して略直角な方向である。
【００２２】
図７に示すように、左側の弾性係止片３４の延出端部（前端部）には、右方へ突出した形態の係止突起３５が形成されている。右側の弾性係止片３４の延出端部（前端部）には、左方へ突出した形態の係止突起３５が形成されている。図８に示すように、係止突起３５の前面には、前後方向に対して傾斜した前側テーパ面３６が形成されている。係止突起３５の後面には、前後方向に対して傾斜した後側テーパ面３７が形成されている。
【００２３】
一対の弾性係止片３４は、上下方向における中央よりも少し下側に配置されている。また、弾性係止片３４は、左右方向においてムービングプレート３０の両端よりも少し中央よりの位置に配置されている。即ち、左右方向において、一対の弾性係止片３４は、左右に間隔を空けて対をなす保持用突部３２よりは端部側に位置し、左右に間隔を空けて対をなす抜止め用突部３３よりは中央側に位置している。ムービングプレート３０をフード部１２（作動空間１６）内に収容した状態では、一対の弾性係止片３４の係止突起３５は、左右に間隔を空けて対をなす初期位置保持突起１８よりは端部側に位置し、左右に間隔を空けて対をなす抜止め突起２１よりは中央側に位置している。
【００２４】
図５，８に示すように、ムービングプレート３０には、左右対称な一対のスリット３８が形成されている。スリット３８は、上下方向に細長く、ムービングプレート３０を前後に貫通した形態である。スリット３８は、左右方向において弾性係止片３４と抜止め用突部３３との間に配されている。スリット３８の上下方向における形成範囲は、弾性係止片３４を含む領域となっている。また、ムービングプレート３０には、左右対称な一対の型抜き孔３９が、前後に貫通した形態で形成されている。型抜き孔３９は、係止突起３５（ムービングプレート３０）を金型成型する際に形成されたものであり、左右方向及び上下方向において係止突起３５と対応する領域（つまり、弾性係止片３４に隣接する位置）に配されている。
【００２５】
ムービングプレート３０のうちスリット３８と型抜き孔３９とに挟まれた幅狭部４０は、変形し易くなっている。そして、この幅狭部４０には弾性係止片３４の基端部が連なっている。したがって、弾性係止片３４は、弾性係止片３４自体を湾曲させるように左右方向へ弾性変形し得ると同時に、幅狭部４０の弾性変形に伴って左右方向へ揺れ動くように向きを変えることが可能となっている。
【００２６】
図３，５に示すように、ムービングプレート３０には、左右対称な一対の第１溝部４１が形成されている。第１溝部４１は、ムービングプレート３０の上縁部から下方へ切り込んだ形態であり、フード部１２のリブ２２に対し前後方向に摺接し得るようになっている。ムービングプレート３０には、左右対称な一対の第２溝部４２が形成されている。第２溝部４２は、ムービングプレート３０の下縁部から上方へ切り込んだ形態である。左右方向において第１溝部４１と同じ位置に配置されている。第２溝部４２の上下方向の長さは、リブ２２及び第１溝部４１の上下方向の長さよりも短い。
【００２７】
一対の第１溝部４１と一対の第２溝部４２は、左右方向において同じ位置に配置されており、ムービングプレート３０の上下寸法は、第１溝部４１と第２溝部４２が形成されている部分において局部的に小さくなっている。また、一対の第１溝部４１と一対の第２溝部４２は、左右方向において一対の弾性係止片３４よりも中央側の位置に配置されている。これにより、ムービングプレート３０を、第１溝部４１と第２溝部４２の形成領域を境界として、弾性係止片３４が形成されていない中央領域４３と、一対の弾性係止片３４が形成されている左右一対の端部側領域４４とに区画することができる。
【００２８】
ムービングプレート３０は、板状をなしているため、全体として前面を凹ませような形態（即ち、一対の弾性係止片３４の係止突起３５同士が接近するような形態）で弾性的に湾曲変形し得るとともに、全体として後面を凹ませような形態（即ち、一対の弾性係止片３４の係止突起３５同士が離間するような形態）で弾性的に湾曲変形し得るようになっている。さらに、上記のように第１溝部４１及び第２溝部４２の形成領域は、上下寸法が局部的に小さいので、より弾性変形し易くなっている。
【００２９】
ムービングプレート３０は、雌雄両コネクタＦ，Ｍが未嵌合の状態では、フード部１２（作動空間１６）内に収容され、図２，７，８に示すように、初期位置に保持されている。初期位置にあるムービングプレート３０は、フード部１２の二対の初期位置保持突起１８に対しムービングプレート３０の二対の保持用突部３２が前方から当接することにより、フード部１２の奥に向かう後方（嵌合位置側）への移動を規制される。初期位置保持突起１８と保持用突部３２との当接位置は、左右方向（一対の弾性係止片３４が離間する方向）において弾性係止片３４とは異なる位置であり、且つ左右方向において弾性係止片３４よりも中央側の位置である。
【００３０】
また、初期位置にあるムービングプレート３０は、フード部１２の一対の抜止め突起２１に対しムービングプレート３０の一対の抜止め用突部３３が後方から当接することにより、フード部１２から離脱する前方（嵌合位置側）への移動を規制される。抜止め突起２１と抜止め用突部３３との当接位置は、左右方向（一対の弾性係止片３４が離間する方向）において弾性係止片３４とは異なる位置であり、且つ左右方向において弾性係止片３４よりも端部側の位置である。
【００３１】
＜雌側コネクタＦ＞
雌側コネクタＦは、雌側ハウジング５０と、複数の雌端子金具（図示省略）とを備えて構成されている。雌側ハウジング５０は、合成樹脂製のハウジング本体５１と、ハウジング本体５１の正面５２（雄側ハウジング１０を基準とした場合は、後面）に取り付けられる合成樹脂製のフロントリテーナ５６とを組み付けて構成されている。ハウジング本体５１内に形成した複数の端子収容室５３は、複数の雌端子金具が個別に収容されている。
【００３２】
ハウジング本体５１の左右両端部には、左右対称な一対の係止空間５４が形成されている。一対の係止空間５４は、ハウジング本体５１の正面５２に開口している。一対の係止空間５４は、上下方向及び左右方向において一対の弾性係止片３４と対応する位置に配されている。一対の係止空間５４内には、左右対称な一対の係止部５５が形成されている。
【００３３】
フロントリテーナ５６は、ハウジング本体５１の正面５２を覆うリテーナ本体部５７を有している。リテーナ本体部５７には、各端子収容室５３と対応する複数の端子挿入口５８が形成されている。雄側コネクタＭと雌側コネクタＦを嵌合すると、雄端子金具１３のタブ１４が、端子挿入口５８を貫通して端子収容室５３内の雌端子金具に接続される。同じく、リテーナ本体部５７には、一対の係止空間５４を雌側ハウジング５０の外部に連通する左右対称な一対の連通孔５９が形成されている。連通孔５９の開口縁部のうち左右方向及び上下方向において係止部５５と重なる位置（対応する位置）には、テーパ状のガイド縁部６０が形成されている。
【００３４】
＜雄側コネクタＭと雌側コネクタＦの嵌合＞
雌側コネクタＦを雄側ハウジング１０に嵌合する際には、ムービングプレート３０が初期位置に保持されている状態で、雌側コネクタＦをフード部１２内に進入させる。進入の過程では、フロントリテーナ５６の一対のガイド縁部６０が一対の弾性係止片３４の前側テーパ面３６に当接してムービングプレート３０を後方へ押圧するが、ムービングプレート３０は、その保持用突部３２を初期位置保持突起１８へ係止させているので後方へは移動しない。そのため、雌側コネクタＦの進入が進むのに伴い、弾性係止片３４は、前側テーパ面３６とガイド縁部６０の傾斜によって左右方向へ弾性変形する。
【００３５】
そして、図１０に示すように、雌側ハウジング５０がムービングプレート３０に対して正しく係止した状態に至ると、フロントリテーナ５６の正面６１がムービングプレート３０の前面に当接するとともに、弾性係止片３４の係止突起３５が係止空間５４内に進入し、弾性係止片３４が弾性復帰して、後側テーパ面３７が係止部５５に対し前方から係止する。この後側テーパ面３７と係止部５５との係止により、ムービングプレート３０の雌側ハウジング５０に対する後方への相対変位が規制される。
【００３６】
弾性係止片３４を弾性変形しながら係止空間５４内に進入させる際に、ガイド縁部６０が前側テーパ面３６を押圧する位置は、左右方向において初期位置保持突起１８と保持用突部３２との係止位置よりも端部側である。したがって、テコの原理により、ムービングプレート３０は、その後面を凹ませる形態で弾性的に湾曲変形する。このとき、端部側領域４４は、中央領域４３に対して後方（図９における下方）へ相対変位する。弾性係止片３４は、端部側領域４４から前方へ突出しているので、図９に示すように、ムービングプレート３０の湾曲に伴って左右に傾く。この傾きに伴い、係止突起３５（前側テーパ面３６）がガイド縁部６０に対して相対的に左右方向へ遠ざかるように変位するので、係止突起３５とテーパ面との左右方向の係止代が減少する。
【００３７】
したがって、前側テーパ面３６が係止突起３５を通過するために必要な弾性係止片３４の弾性変形量は、弾性係止片３４が傾いた分だけ低減され、弾性係止片３４の弾性復元力が低減される。つまり、雌側コネクタＦが、弾性係止片３４を弾性変形させながらムービングプレート３０に係止する際に、弾性係止片３４の弾性復元力に起因する抵抗が低減されるので、作業性が良好となる。
【００３８】
雌側コネクタＦがムービングプレート３０に係止した状態から、更に、雌側コネクタＦの嵌入を進めてムービングプレート３０を押圧すると、ムービングプレート３０が弾性変形して保持用突部３２が初期位置保持突起１８から外れ、初期位置のムービングプレート３０は、雌側コネクタＦと一体となって嵌合位置側（フード部１２の奥側）へ移動する。そして、図１，１１に示すように、ムービングプレート３０の正面が、フード部１２の奥端面（端子保持部１１の前面）に当接して嵌合位置に到達すると、両コネクタＦ，Ｍ（両ハウジング１０，５０）が正規の嵌合状態となる。
【００３９】
＜雄側コネクタＭと雌側コネクタＦの離脱＞
嵌合されている両コネクタＦ，Ｍを離脱する際には、雌側コネクタＦを雄側コネクタＭに対しその前方へ引き離す。このとき、雌側コネクタＦの係止部５５がムービングプレート３０の弾性係止片３４の係止突起３５（後側テーパ面３７）に係止しているので、ムービングプレート３０は雌側ハウジング５０と一緒に初期位置側（フード部１２の前端側）へ移動する。雌側ハウジング５０がムービングプレート３０を初期位置へ引き戻す過程では、図１２に示すように、ムービングプレート３０の保持用突部３２がフード部１２の初期位置保持突起１８に対し後方から当接するので、ムービングプレート３０の初期位置側への移動を規制される。そのため、弾性係止片３４は、後側テーパ面３７の傾斜により係止突起３５を係止部５５から外す方向へ弾性変形しようとする。
【００４０】
しかし、係止部５５が弾性係止片３４に係止する位置は、左右方向において初期位置保持突起１８と保持用突部３２との当接位置よりも左右方向において端部側である。したがって、テコの原理により、ムービングプレート３０は、その前面を凹ませる形態で弾性的に湾曲変形する。このとき、端部側領域４４は中央領域４３よりも前方（図１３における上方）へ相対変位するので、ムービングプレート３０の前面と雌側ハウジング５０の正面６１との間には隙間Ｓａが空く。この隙間Ｓａは、ムービングプレート３０の端部側領域４４よりも中央領域４３の方が大きい。弾性係止片３４は、端部側領域４４から前方へ突出しているので、図１３に示すように、ムービングプレート３０の湾曲に伴って左右に傾く。
【００４１】
この傾きに伴い、係止突起３５（後側テーパ面３７）が係止部５５に対して相対的に左右方向へ接近するように変位するので、係止突起３５と係止部５５との左右方向の係止代が増大し、係止部５５と後側テーパ面３７（係止突起３５）が外れ難くなる。これにより、ムービングプレート３０の弾性係止片３４と雌側ハウジング５０の係止部５５が係止状態を保ったまま、保持用突部３２が初期位置保持突起１８を通過する。これにより、ムービングプレート３０は雌側ハウジング５０によって初期位置まで確実に引き戻される。
【００４２】
保持用突部３２が初期位置保持突起１８を通過すると、湾曲変形していたムービングプレート３０が弾性復帰する。また、係止部５５が、弾性係止片３４の係止突起３５（後側テーパ面３７）に係止して弾性係止片３４を引っ張る状態を保つため、ムービングプレート３０は雌側ハウジング５０によって前方へ引っ張られる。しかし、抜止め用突部３３が抜止め突起２１に係止することにより、ムービングプレート３０はそれ以上の前方変位を規制される。そのため、雌側コネクタＦの離脱が進むのに伴い、弾性係止片３４は、後側テーパ面３７の傾斜により左右方向へ弾性変形して、係止部５５から外れる。
【００４３】
このとき、係止部５５が係止突起３５を引っ張る位置は、左右方向において抜止め突起２１と抜止め用突部３３との係止位置よりも中央側である。したがって、テコの原理により、ムービングプレート３０は、その後面を凹ませる形態で弾性的に湾曲変形する。このとき、端部側領域４４は中央領域４３よりも後方（図１４における下方）へ相対変位し、ムービングプレート３０の端部側領域４４の前面と雌側ハウジング５０の正面６１との間に隙間Ｓｂが空く。
【００４４】
弾性係止片３４は、端部側領域４４から前方へ突出しているので、図１４に示すように、ムービングプレート３０の湾曲に伴って左右に傾く。この傾きに伴い、係止突起３５（後側テーパ面３７）が係止部５５に対して相対的に左右方向へ遠ざかるように変位するので、係止突起３５と係止部５５との左右方向の係止代が減少する。したがって、係止部５５が係止突起３５を通過するために必要な弾性係止片３４の弾性変形量は、弾性係止片３４が傾いた分だけ減少する。これにより、弾性係止片３４の弾性復元力が減少する。つまり、雌側コネクタＦが、弾性係止片３４を弾性変形させながらムービングプレート３０から離脱する際に、弾性係止片３４の弾性復元力に起因する抵抗が減少するので、作業性が良好となる。
【００４５】
＜実施例の作用及び効果＞
（１）本実施例の雄側コネクタＭは、複数の雄端子金具１３が取り付けられた雄側ハウジング１０と、雄側ハウジング１０に形成され、複数の雄端子金具１３のタブ１４を包囲するフード部１２と、複数のタブを位置決めした状態でフード部１２内に収容され、初期位置と嵌合位置との間で移動可能なムービングプレート３０と、フード部１２の内壁に形成され、初期位置のムービングプレート３０が嵌合位置へ落ち込むのを規制する初期位置保持突起１８とを備える。雌側コネクタＦ（雌側ハウジング５０）は、フード部１２内をムービングプレート３０と平行に且つ一体的に移動することで、雄側ハウジング１０に対して嵌合・離脱される。
【００４６】
ムービングプレート３０には、その移動方向と交差する左右方向に離間した２位置から、ムービングプレート３０の移動方向と略平行に（前方へ）突出するように一対の弾性係止片３４が形成されている。一対の弾性係止片３４は左右方向へ弾性変形可能である。一方、雌側ハウジング５０には、弾性係止片３４と係止することで雌側ハウジング５０が嵌合位置のムービングプレート３０を初期位置へ引き戻すことを可能にする係止部５５が形成されている。この係止部５５は、弾性係止片３４と非係止の位置（弾性係止片３４よりも前方の位置）から弾性係止片３４を弾性変形させることで弾性係止片３４との係止位置（係止突起３５に対して後方から係止する位置）へ変位可能である。
【００４７】
また、ムービングプレート３０は、弾性係止片３４の突出方向を左右に傾かせるような形態で弾性的に湾曲変形可能である。初期位置保持突起１８は、一対の弾性係止片３４の離間方向と同じく左右方向に間隔を空けて対をなすように配置されている。この一対の初期位置保持突起１８は、一対の弾性係止片３４の離間方向（左右方向）において一対の弾性係止片３４とは異なる位置に配されている。
【００４８】
この構成によれば、ムービングプレート３０が初期位置保持突起１８との係止により初期位置に保持されている状態で、雌側ハウジング５０がフード部１２内に進入すると、係止部５５が弾性係止片３４の係止突起３５を押圧する。このとき、ムービングプレート３０は、初期位置保持突起１８との当接位置とは異なる位置において、弾性係止片３４を介して雌側ハウジング５０からの押圧力を受ける。すると、テコの原理によってムービングプレート３０が湾曲する。この湾曲により、弾性係止片３４が傾くので、係止部５５に対する弾性係止片３４の係止代が減少し、係止部５５が係止位置（後側テーパ面３７に係止する位置）に至るときの弾性係止片３４の弾性変形量が小さくなる。したがって、雌側ハウジング５０をムービングプレート３０に係止させる際には、弾性係止片３４の弾性復元力に起因する抵抗が低減されるので、作業性が向上する。
【００４９】
また、ムービングプレート３０が湾曲したときには、端部に近いほど弾性係止片３４の傾きが大きくなるので、この点に着目し、一対の弾性係止片３４の離間方向において、一対の弾性係止片３４を一対の初期位置保持突起１８よりも端部側に配置した。これにより、ムービングプレート３０が湾曲したときの弾性係止片３４の傾きが大きくなるので、弾性係止片３４と雌側ハウジング５０の係止部５５との係止代が小さくなり、雌側ハウジング５０をムービングプレート３０に係止させる際の作業性が向上する。
【００５０】
また、一対の弾性係止片３４の離間方向において、一対の弾性係止片３４が対称に配置され、且つ一対の初期位置保持突起１８も対称に配されている。この構成によれば、ムービングプレート３０は、湾曲したときに波形に変形しないので、曲率が大きくなる。これにより、ムービングプレート３０が湾曲したときの弾性係止片３４の傾きが大きくなるので、弾性係止片３４と雌側ハウジング５０の係止部５５との係止代が小さくなり、雌側ハウジング５０をムービングプレート３０に係止させる際の作業性が向上する。
【００５１】
（２）また、本実施例の雌側コネクタＦを構成する雌側ハウジング５０には、係止部５５が形成されている。係止部５５は、弾性係止片３４と係止することで、雌側ハウジング５０が嵌合位置のムービングプレート３０を初期位置保持突起１８と干渉させて初期位置へ引き戻すことを可能にするものである。その上で、ムービングプレート３０を、弾性係止片３４の突出方向を左右に傾かせるような形態で弾性的に湾曲変形し得るようにした。そして、初期位置保持突起１８を、一対の弾性係止片３４の離間方向と同じく左右方向に間隔を空けて対をなすように配置し、この一対の初期位置保持突起１８を、一対の弾性係止片３４の離間方向（左右方向）において一対の弾性係止片３４とは異なる位置に配した。
【００５２】
この構成によれば、雌側ハウジング５０がムービングプレート３０を初期位置へ引き戻す過程で、ムービングプレート３０が初期位置保持突起１８と干渉し、このときに、ムービングプレート３０は、初期位置保持突起１８との干渉位置とは異なる位置において、弾性係止片３４を介して雌側ハウジング５０からの引張力を受ける。すると、テコの原理によってムービングプレート３０が湾曲する。この湾曲により、弾性係止片３４が傾くので、雌側ハウジング５０の係止部５５に対する弾性係止片３４の係止代が増大する。これにより、ムービングプレート３０は、係止部５５から外れずに初期位置保持突起１８を通過し、初期位置に戻される。
【００５３】
また、ムービングプレート３０が湾曲したときには、端部に近いほど弾性係止片３４の傾きが大きくなるので、この点に着目し、一対の弾性係止片３４の離間方向において、一対の弾性係止片３４を一対の初期位置保持突起１８よりも端部側に配置した。これにより、ムービングプレート３０が湾曲したときの弾性係止片３４の傾きが大きくなり、弾性係止片３４と雌側ハウジング５０の係止部５５との係止代が大きくなるので、弾性係止片３４と係止部５５との係止状態が保たれ、ムービングプレート３０が確実に初期位置保持突起１８を通過することができる。
【００５４】
また、一対の弾性係止片３４の離間方向において、一対の弾性係止片３４が対称に配置され、且つ一対の初期位置保持突起１８が対称に配されている。この構成によれば、ムービングプレート３０は、湾曲したときに波形に変形しないので、曲率が大きくなる。これにより、ムービングプレート３０が湾曲したときの弾性係止片３４の傾きが大きくなるので、弾性係止片３４と雌側ハウジング５０の係止部５５との係止代も大きくなり、弾性係止片３４と係止部５５との離脱を確実に防止できる。
【００５５】
（３）また、本実施例の雄側コネクタＭを構成するフード部１２の内壁には、初期位置のムービングプレート３０がフード部１２の外部へ離脱する方向（前方）へ変位することを規制するための抜止め突起２１が形成されている。雌側ハウジング５０には、弾性係止片３４と係止することで雌側ハウジング５０が嵌合位置のムービングプレート３０を初期位置へ引き戻すことを可能にする係止部５５が形成されている。この係止部５５は、弾性係止片３４の係止突起３５に対し後方から係止する位置から、弾性係止片３４を弾性変形させることで弾性係止片３４と非係止の位置（係止突起３５から前方へ外れた位置）へ変位可能である。
【００５６】
その上で、ムービングプレート３０を、弾性係止片３４の突出方向を左右に傾かせるような形態で弾性的に湾曲変形し得るようにした。そして、初期位置保持突起１８を、一対の弾性係止片３４の離間方向と同じく左右方向に間隔を空けて対をなすように配置し、この一対の初期位置保持突起１８を、一対の弾性係止片３４の離間方向（左右方向）において一対の弾性係止片３４とは異なる位置に配した。
【００５７】
この構成によれば、雌側ハウジング５０によって初期位置へ引き戻されたムービングプレート３０が抜止め突起２１に当接すると、ムービングプレート３０は、抜止め突起２１との当接位置とは異なる位置において、弾性係止片３４を介して雌側ハウジング５０からの引張力を受ける。すると、テコの原理によりムービングプレート３０が湾曲する。この湾曲により、雌側ハウジング５０の係止部５５に対する弾性係止片３４の係止代が減少するので、係止部５５が弾性係止片３４と非係止の位置（係止突起３５の前方へ外れた位置）に至るときの弾性係止片３４の弾性変形量が小さくなる。これにより、雌側ハウジング５０をムービングプレート３０から離脱させる際に、弾性係止片３４の弾性復元力に起因する抵抗が低減されるので、作業性が向上する。
【００５８】
また、ムービングプレート３０が湾曲したときには、端部に近いほど弾性係止片３４の傾きが大きくなるので、この点に着目し、一対の弾性係止片３４の離間方向において、一対の弾性係止片３４を一対の初期位置保持突起１８よりも端部側に配置した。これにより、ムービングプレート３０が湾曲したときの弾性係止片３４の傾きが大きくなり、弾性係止片３４と雌側ハウジング５０の係止部５５との係止代が小さくなるので、雌側ハウジング５０をムービングプレート３０から離脱させる際の作業性が向上する。
【００５９】
また、一対の弾性係止片３４の離間方向において、一対の弾性係止片３４が対称に配置され、且つ一対の初期位置保持突起１８も対称に配されている。この構成によれば、ムービングプレート３０は、湾曲したときに波形に変形しないので、曲率が大きくなる。これにより、ムービングプレート３０が湾曲したときの弾性係止片３４の傾きが大きくなるので、弾性係止片３４と雌側ハウジング５０の係止部５５との係止代が小さくなる。これにより、雌側ハウジング５０をムービングプレート３０から離脱させる際の作業性が向上する。
【００６０】
＜他の実施例＞
本発明は上記記述及び図面によって説明した実施例に限定されるものではなく、例えば次のような実施例も本発明の技術的範囲に含まれる。
（１）上記実施例では、一対の弾性係止片が一対の初期位置保持突起よりも端部側に配置されているが、これに限らず、一対の弾性係止片は一対の初期位置保持突起よりも中央側に配置されていてもよい。この場合、弾性係止片の突起部は外向きに突出する形態にすればよい。
（２）上記実施例では、一対の弾性係止片が一対の抜止め突起よりも中央側に配置されているが、これに限らず、一対の弾性係止片は一対の抜止め突起よりも端部側に配置されていてもよい。この場合、弾性係止片の突起部は外向きに突出する形態にすればよい。
（３）上記実施例では、一対の弾性係止片が対称に配置されているが、これに限らず、一対の弾性係止片は非対称な配置であってもよい。この場合、一方の弾性係止片が初期位置保持突起よりも端部寄りに配置され、他方の弾性係止片が初期位置保持突起より中央寄りに配置されていてもよい。この場合、ムービングプレートは波打つように湾曲する。
（４）上記実施例では、一対の初期位置保持突起が対称に配置されているが、これに限らず、一対の初期位置保持突起は非対称な配置であってもよい。この場合、一方の弾性係止片が初期位置保持突起よりも端部寄りに配置され、他方の弾性係止片が初期位置保持突起より中央寄りに配置されていてもよい。この場合、ムービングプレートは波打つように湾曲することになる。
（５）上記実施例では、一対の抜止め突起が対称に配置されているが、これに限らず、一対の抜止め突起は非対称な配置であってもよい。この場合、一方の弾性係止片が抜止め突起よりも端部寄りに配置され、他方の弾性係止片が抜止め突起より中央寄りに配置されていてもよい。この場合、ムービングプレートは波打つように湾曲することになる。
（６）上記実施例では、雌側ハウジングの係止部が突起状であるが、これに限らず、雌側ハウジングの係止部は凹んだ形態であってもよい。
（７）上記実施例では、雄側コネクタと雌側コネクタがレバーを介して嵌合・離脱されるが、本発明は、レバーを用いずに雄側コネクタと雌側コネクタを嵌合・離脱させるコネクタにも適用できる。
（８）上記実施例では、雄側ハウジングが回路基板に取り付けられるが、本発明は、雄側コネクタが回路基板に取り付けられない場合にも適用できる。
【符号の説明】
【００６１】
Ａ…コネクタ
１０…雄側ハウジング
１２…フード部
１３…雄端子金具
１４…タブ
１８…初期位置保持突起
２１…抜止め突起
３０…ムービングプレート
３４…弾性係止片
５０…雌側ハウジング
５５…係止部
【図１】
2017134979.tif 000003
【図２】
2017134979.tif 000004
【図３】
2017134979.tif 000005
【図４】
2017134979.tif 000006
【図５】
2017134979.tif 000007
【図６】
2017134979.tif 000008
【図７】
2017134979.tif 000009
【図８】
2017134979.tif 000010
【図９】
2017134979.tif 000011
【図１０】
2017134979.tif 000012
【図１１】
2017134979.tif 000013
【図１２】
2017134979.tif 000014
【図１３】
2017134979.tif 000015
【図１４】
2017134979.tif 000016